(57)【要約】【課題】相転移ナノ粒子を含む相転移物質層を備える相転移メモリ素子及びその製造方法を提供する。【解決手段】前面基板の後方に一方向にそれぞれ形成された前方電極と前面基板と対向する背面基板と背面基板の前方に前方電極が延びた方向と交差方向にそれぞれ形成された後方電極と前面基板と背面基板との間に前方電極及び後方電極が共にそれぞれ配置される放電空間を区画する隔壁と放電空間の蛍光体層と放電空間に満たされた放電ガスとを備えたプラズマディスプレイパネルと、前方電極及び後方電極に駆動制御信号を印加する画像表示用の回路部と、これと連係して磁束が変化する電子ペンにより誘導電流がそれぞれ発生する前方電極及び後方電極からの位置情報信号を検出して、電子ペンの位置座標信号を処理し、位置座標信号を画像表示用の回路部に伝達する位置感知用の回路部とを備える。【選択図】図４
2006260531.tif 000002
【特許請求の範囲】
【請求項１】
ガス放電により画像が表示されるものであって、前面基板と、前記前面基板の後方に一方向にそれぞれ延びるように形成された前方電極と、前記前面基板と対向するように形成された背面基板と、前記背面基板の前方に前記前方電極が延びた方向と交差する方向にそれぞれ延びるように形成された後方電極と、前記前面基板と背面基板との間に、前記前方電極及び後方電極が共にそれぞれ配置される放電空間を区画できるように形成された隔壁と、前記放電空間に形成された蛍光体層と、前記放電空間に満たされた放電ガスと、を備えたプラズマディスプレイパネルと、
前記プラズマディスプレイパネルから画像を表示させるものであって、前記前方電極及び後方電極に駆動制御信号を印加する画像表示用の回路部と、
前記画像表示用の回路部と連係して、磁束が変化する電子ペンにより、誘導電流がそれぞれ発生する前方電極及び後方電極からの位置情報信号を検出して、これに基づいて前記電子ペンの位置座標信号を処理し、このように処理された位置座標信号を前記画像表示用の回路部に伝達する位置感知用の回路部と、を備えるタッチスクリーン型のプラズマディスプレイ装置。
【請求項２】
前記電子ペンにはコイルが内蔵されており、前記コイルには交流電圧が印加されることにより、磁束が変化しうることを特徴とする請求項１に記載のタッチスクリーン型のプラズマディスプレイ装置。
【請求項３】
前記前方電極は、共通電極とスキャン電極との対からそれぞれ形成されて、維持放電を起こす維持電極対として作用し、前記後方電極は、前記スキャン電極及びアドレス放電を起こすアドレス電極として作用することを特徴とする請求項１に記載のタッチスクリーン型のプラズマディスプレイ装置。
【請求項４】
前記位置感知用の回路部は、前記スキャン電極及びアドレス電極と連係したことを特徴とする請求項３に記載のタッチスクリーン型のプラズマディスプレイ装置。
【請求項５】
前記前方電極は、透明な導電性素材から形成された透明電極と、前記透明電極に接続して駆動制御信号を供給するバス電極とを備えて形成されたことを特徴とする請求項３に記載のタッチスクリーン型のプラズマディスプレイ装置。
【請求項６】
前記前方電極及び後方電極のうち、少なくとも一方は、誘電体層により覆われたことを特徴とする請求項１に記載のタッチスクリーン型のプラズマディスプレイ装置。
【請求項７】
前記プラズマディスプレイパネルと画像表示用の回路部との間には、それらを支持する少なくとも一つのシャーシーベースが更に備えられたことを特徴とする請求項１に記載のタッチスクリーン型のプラズマディスプレイ装置。
【請求項８】
ガス放電により画像が表示されるものであって、前面基板と、前記前面基板の後方に一方向にそれぞれ延びて、共通電極とスキャン電極との対からそれぞれ備えられた維持電極対と、前記維持電極対を覆うように形成された前面誘電体層と、前記前面基板と対向するように形成された背面基板と、前記背面基板の前方に、前記維持電極対が延びた方向と交差する方向にそれぞれ延びるように形成されたアドレス電極と、前記アドレス電極を覆うように形成された背面誘電体層と、前記前面基板と背面基板との間に、前記維持電極対及びアドレス電極が共にそれぞれ配置される放電空間を区画できるように形成された隔壁と、前記放電空間に形成された蛍光体層と、前記放電空間に満たされた放電ガスと、を備えたプラズマディスプレイパネルと、
前記プラズマディスプレイパネルから画像を表示させるものであって、前記維持電極対及びアドレス電極に駆動制御信号を印加する画像表示用の回路部と、
前記画像表示用の回路部と連係して、磁束が変化する電子ペンにより、誘導電流がそれぞれ発生するアドレス電極及びスキャン電極からの位置情報信号を検出して、これに基づいて前記電子ペンの位置座標信号を処理し、このように処理された位置座標信号を前記画像表示用の回路部に伝達する位置感知用の回路部と、を備えるタッチスクリーン型のプラズマディスプレイ装置。
【請求項９】
前記電子ペンにはコイルが内蔵されており、前記コイルの両端には交流電圧が印加されることにより、磁束が変化しうることを特徴とする請求項８に記載のタッチスクリーン型のプラズマディスプレイ装置。
【請求項１０】
前記隔壁は、マトリックス状またはストライプ状に形成されたことを特徴とする請求項８に記載のタッチスクリーン型のプラズマディスプレイ装置。
【請求項１１】
前記前面誘電体層の背面は、保護膜で覆われたことを特徴とする請求項８に記載のタッチスクリーン型のプラズマディスプレイ装置。
【請求項１２】
前記プラズマディスプレイパネルと画像表示用の回路部との間には、それらを支持する少なくとも一つのシャーシーベースが更に備えられたことを特徴とする請求項８に記載のタッチスクリーン型のプラズマディスプレイ装置。
【発明の詳細な説明】
【技術分野】
【０００１】
本発明は、タッチスクリーンで具現できるタッチスクリーン型のプラズマディスプレイ装置に関する。
【背景技術】
【０００２】
プラズマディスプレイ装置は、ガス放電現象を利用して画像を表示する平板ディスプレイ装置であって、表示容量、輝度、コントラスト、残像、及び視野角などの各種表示能力に優れており、薄型かつ大型化された画像表示が可能であり、陰極線管を代替できる次世代の平板ディスプレイ装置として脚光を浴びている。
【０００３】
このようなプラズマディスプレイ装置は、画像が表示される面にタッチパネルのような装置が装着されることにより、タッチスクリーンで具現されうる。タッチスクリーンは、スクリーンにあらかじめ表示した文字や絵の情報をユーザーが指または物体で接触すれば、スクリーンの接触した位置によってユーザーが選択した事項が何であるかを把握して、保存されたソフトウェアにより特定処理を行えるように、スクリーンで直接入力可能にしたものである。このようなタッチスクリーンを構成するタッチパネルは、指または物体が接触した位置を把握する機能を行うものであって、その種類としては、抵抗膜方式、静電容量方式、光学方式、超音波方式、圧力方式などがある。
【０００４】
通常的な抵抗膜方式のタッチパネルは、透明な材質の上部基板と、これと平行に下部基板が配置されており、上部基板の下面と下部基板の上面とには、ＩＴＯ（Indium Tin Oxide）のような透明導電膜がそれぞれ形成されている。そして、上部基板の透明導電膜の下面には、平行に二つの上部電極が形成されており、下部基板の透明導電膜の上面には、上部電極と直交するように二つの下部電極が形成された構造になっている。このようなタッチパネルの上部基板に、ユーザーが指のような入力手段で所定位置に圧力を加えれば、その位置で上部基板と下部基板とにそれぞれ形成された透明導電膜が相互接触して通電され、これにより電気的信号が変化する。このように変化した電気的信号は、外部回路に入力されて処理されることにより、圧力が加えられた位置の座標が探される。
【０００５】
ところが、前記によれば、タッチパネルが別個の部材から備えられて、プラズマディスプレイ装置の画像が表示される面に装着されることにより、これによる追加費用が要求される。その上、タッチパネルが、プラズマディスプレイ装置の画像が表示される面にしっかりと密着して装着できなくなれば、それらの間に空気層が形成される恐れがあり、画面の視認性が低下するという問題が発生しうる。
【発明の開示】
【発明が解決しようとする課題】
【０００６】
本発明は、前記問題点を解決するためになされたものであって、プラズマディスプレイパネル（Plasma Display Pannel：ＰＤＰ）に備えられた電極と電子ペンとの間の電磁気誘導現象により電子ペンの位置座標が感知されて、所定の画像が表示されうるタッチスクリーン型のプラズマディスプレイ装置を提供するところにその目的がある。
【課題を解決するための手段】
【０００７】
前記の目的を達成するための本発明によるタッチスクリーン型のプラズマディスプレイ装置は、ガス放電により画像が表示されるものであって、前面基板と、前記前面基板の後方に一方向にそれぞれ延びるように形成された前方電極と、前記前面基板と対向するように形成された背面基板と、前記背面基板の前方に前記前方電極が延びた方向と交差する方向にそれぞれ延びるように形成された後方電極と、前記前面基板と背面基板との間に、前記前方電極及び後方電極が共にそれぞれ配置される放電空間を区画できるように形成された隔壁と、前記放電空間に形成された蛍光体層と、前記放電空間に満たされた放電ガスと、を備えたプラズマディスプレイパネルと、前記プラズマディスプレイパネルから画像を表示させるものであって、前記前方電極及び後方電極に駆動制御信号を印加する画像表示用の回路部と、前記画像表示用の回路部と連係して、磁束が変化する電子ペンにより、誘導電流がそれぞれ発生する前方電極及び後方電極からの位置情報信号を検出して、これに基づいて前記電子ペンの位置座標信号を処理し、このように処理された位置座標信号を前記画像表示用の回路部に伝達する位置感知用の回路部と、を備える。
【０００８】
そして、本発明によるタッチスクリーン型のプラズマディスプレイ装置は、ガス放電により画像が表示されるものであって、前面基板と、前記前面基板の後方に一方向にそれぞれ延びて、共通電極とスキャン電極との対からそれぞれ備えられた維持電極対と、前記維持電極対を覆うように形成された前面誘電体層と、前記前面基板と対向するように形成された背面基板と、前記背面基板の前方に、前記維持電極対が延びた方向と交差する方向にそれぞれ延びるように形成されたアドレス電極と、前記アドレス電極を覆うように形成された背面誘電体層と、前記前面基板と背面基板との間に、前記維持電極対及びアドレス電極が共にそれぞれ配置される放電空間を区画できるように形成された隔壁と、前記放電空間に形成された蛍光体層と、前記放電空間に満たされた放電ガスと、を備えたプラズマディスプレイパネルと、前記プラズマディスプレイパネルから画像を表示させるものであって、前記維持電極対及びアドレス電極に駆動制御信号を印加する画像表示用の回路部と、前記画像表示用の回路部と連係して、磁束が変化する電子ペンにより、誘導電流がそれぞれ発生するアドレス電極及びスキャン電極からの位置情報信号を検出して、これに基づいて前記電子ペンの位置座標信号を処理し、このように処理された位置座標信号を前記画像表示用の回路部に伝達する位置感知用の回路部と、を備える。
【発明の効果】
【０００９】
本発明によれば、ＰＤＰ自体に備えられたスキャン電極及びアドレス電極が電子ペンとの電磁気誘導現象により、電子ペンの位置を感知できるアンテナとして作用できる。したがって、従来のように、タッチパネルが別個の部材として備えられて、プラズマディスプレイ装置の画像が表示される面に装着される必要がないため、これによる追加費用を節減できる。さらに、従来のタッチパネルによる画面の視認性が低下する恐れもないため、画面の視認性が十分に確保されうる。
【発明を実施するための最良の形態】
【００１０】
以下、添付された図面を参照して、好ましい実施形態に係る本発明を詳細に説明する。
【００１１】
図１は、本発明の一実施形態に係るタッチスクリーン型のプラズマディスプレイ装置についての分離斜視図である。
【００１２】
図１に示すように、タッチスクリーン型のプラズマディスプレイ装置１００には、ガス放電により画像が表示されるＰＤＰ１１０が備えられている。
【００１３】
前記ＰＤＰ１１０の後方には、シャーシーベース１４０が配置されている。前記シャーシーベース１４０は、アルミニウムのような素材から形成され、前記ＰＤＰ１１０と平行に配置されて、これを支持する一方、ＰＤＰ１１０から発生した熱を伝達されて外部に放出させる。前記シャーシーベース１４０は、曲がりや反り変形などが防止できるように、端部が後方に曲がったベンディング部１４１が備えられうる。そして、前記シャーシーベース１４０の後方には、補強部材１４２が設置されうる。前記補強部材１４２は、金属素材などから形成されて、シャーシーベース１４０の背面に結合されることにより、シャーシーベース１４０の曲がりや反り変形などを防止し、これと共に、シャーシーベース１４０から放熱される面積を拡大させて、放熱効率を向上させる役割を行う。
【００１４】
前記シャーシーベース１４０は、両面テープのような接着部材１６１によりＰＤＰ１１０と結合され、前記シャーシーベース１４０とＰＤＰ１１０との間には、熱伝導部材１６２が介在されることにより、ＰＤＰ１１０から発生した熱が前記熱伝導部材１６２に伝えられて、外部に放出されうる。
【００１５】
前記シャーシーベース１４０の後方には、各種電子部品が実装された回路部１５０が設置されている。前記回路部１５０は、ＰＤＰ１１０と連結部材１６５とにより電気的に連結されて、各種信号を伝達する。前記連結部材１６５としては、フレキシブルな印刷ケーブル（Flexible Printed Cable：ＦＰＣ）やフレキシブルな印刷ケーブルに少なくとも一つの素子が実装されたＴＣＰ（Tape Carrier Package）などが採用されうる。そして、前記回路部１５０には、ＰＤＰ１１０の画面上の所定位置を示しうる電子ペン１８０が電気的に連結されている。前記のような回路部１５０は、ＰＤＰ１１０とシャーシーベース１４０と共に、ケース（図示せず）により収容されることにより、タッチスクリーン型のプラズマディスプレイ装置１００を構成する。
【００１６】
前記ＰＤＰ１１０としては、多様な種類のＰＤＰのうち、何れか一つが採用されうるが、その一例として、図２に示すような面放電型の３電極構造を有する交流型ＰＤＰが採用されうる。
【００１７】
図示されたＰＤＰ１１０は、前面パネル１２０と、前記前面パネル１２０と対向して結合される背面パネル１３０とを備えて構成されている。
【００１８】
前記前面パネル１２０には、前面基板１２１が備えられているが、前記前面基板１２１は、画像が透過されて表示されうるように、光透過性を有する透明なガラスのような素材から形成されうる。前記前面基板１２１の後方には、前方電極１２２が一方向にそれぞれ延びて、互いに離れて配列されている。
【００１９】
前記前方電極１２２は、多様に構成されうるが、その一例として、前方電極１２２は、相互間に放電ギャップをなす共通電極Ｘ１，Ｘ２，・・・，Ｘｎ−１，Ｘｎと、スキャン電極Ｙ１，Ｙ２，・・・，Ｙｎ−１，Ｙｎとの対をそれぞれ成して維持放電を起こす維持電極対として作用できる。そして、前記共通電極Ｘ１，Ｘ２，・・・，Ｘｎ−１，Ｘｎは、前面基板１２１の背面に形成された共通透明電極とその背面に接続する共通バス電極とを備え、前記スキャン電極Ｙ１，Ｙ２，・・・，Ｙｎ−１，Ｙｎは、前面基板１２１の背面に形成されたスキャン透明電極とその背面に接続されるスキャンバス電極とを備え得る。ここで、前記共通及びスキャン透明電極は、可視光が透過されるように透明な素材、例えば、ＩＴＯから形成される。そして、前記共通及びスキャンバス電極は、共通及びスキャン透明電極の幅より狭い幅を有して形成されて、それらにそれぞれ接続して駆動制御信号をそれぞれ印加するが、前記共通及びスキャンバス電極は、電気伝導度が相対的に低いＩＴＯから形成された共通及びスキャン透明電極の電気抵抗を改善するために、導電性に優れた金属から形成されることが好ましい。
【００２０】
前記前方電極１２２は、前面基板１２１の背面に誘電体から形成された前面誘電体層１２３により覆われ、前記前面誘電体層１２３の背面は、保護膜１２４により覆われうる。前記保護膜１２４は、放電時に発生したイオンによる前面誘電体層１２３の損傷を防止し、２次電子を放出させて放電効率を向上させうるＭｇＯ膜から形成されることが好ましい。
【００２１】
前記のような前面パネル１２０と対向して配置された背面パネル１３０には、背面基板１３１が備えられている。前記背面基板１３１の前方には、後方電極１３２が前方電極１２２が延びた方向と交差する方向にそれぞれ延びて、互いに離れて配列されている。前記後方電極１３２は、前方電極１２２が維持電極対として作用する場合、スキャン電極Ｙ１，Ｙ２，・・・，Ｙｎ−１，Ｙｎとアドレス放電を起こすアドレス電極Ａ１，Ａ２，・・・，Ａｍ−１，Ａｍとして作用する。前記アドレス電極Ａ１，Ａ２，・・・，Ａｍ−１，Ａｍは、背面基板１３１の前面にストライプ状に形成された状態で、背面基板１３１の前面に、誘電体から形成された背面誘電体層１３３により覆われうる。
【００２２】
前記背面誘電体層１３３の前面には、所定パターンの放電空間、図示するように、４面がそれぞれ閉鎖された放電セル１３５を区画できるようにマトリックス状に形成された隔壁１３４が形成されている。前記隔壁１３４は、隣接した放電セル１３５間のクロストークを防止する。より詳細に説明すれば、図示された隔壁１３４は、一方向にそれぞれ延びて、互いに離れて形成された第１隔壁１３４ａと、前記第１隔壁１３４ａの各側面から第１隔壁１３４ａが延びた方向と交差する方向にそれぞれ延びて、離れて形成された第２隔壁１３４ｂとを備えた構造に形成されうる。ここで、前記第１隔壁１３４ａは、少なくとも一つのアドレス電極Ａ１，Ａ２，・・・，Ａｍ−１，Ａｍを挿んで、これと平行に配置されている。一方、前記隔壁は、前記に限定されずに、放電セルを画素の配列パターンで限定できる構造ならば、いかなるものでも可能である。
【００２３】
前記のように区画された放電セル１３５には、放電時に発生した紫外線により励起されて、可視光線が発散する蛍光体層１３６がそれぞれ配置されている。前記蛍光体層１３６は、図示するように、隔壁１３４の側面と前記隔壁１３４で取り囲まれた背面誘電体層１３３の前面にかけて形成されている。前記蛍光体層１３６は、カラー具現のために、赤色、緑色、青色の可視光線をそれぞれ発散する、赤色、緑色、青色蛍光体のうち選択された何れか一つの蛍光体としてそれぞれ形成されるが、これにより、赤色、緑色、青色蛍光体層からなりうる。そして、このような赤色、緑色、青色の蛍光体層のうち、何れの蛍光体層が放電セルに配置されるかによって、赤色サブピクセル、緑色サブピクセル及び青色サブピクセルをそれぞれ形成するが、前記赤色、緑色、青色サブピクセルは、単位ピクセルに含まれることにより、３原色の組合わせによる多様な色を表現する。前記のような放電セル１３５には、通常的な放電ガスが満たされ、このように放電ガスが満たされた状態で、前面パネル１２０と背面パネル１３０との端部に形成された密封部材（図示せず）により、前面パネル１２０と背面パネル１３０とが互いに密封される。
【００２４】
前記のような構造を有するＰＤＰ１１０は、図３に示すように構成された回路部１５０により駆動されうる。
【００２５】
図３に示すように、回路部１５０には、ＰＤＰ１１０から画像を表示するための画像表示用の回路部が備えられているが、前記画像表示用の回路部は、映像処理部１５１、論理制御部１５２、アドレス駆動部１５３、共通駆動部１５４、スキャン駆動部１５５及び電源供給部１５６から構成されうる。
【００２６】
ここで、前記映像処理部１５１は、保存されたソフトウェアなどにより内部映像信号、例えば、それぞれ８ビットの赤色、緑色及び青色の映像データ信号、クロック信号、垂直及び水平同期信号を発生させる。前記論理制御部１５２は、映像処理部１５１からの内部映像信号によって駆動制御信号ＳＡ、ＳＹ、ＳＸを発生させる。前記アドレス駆動部１５３は、論理制御部１５２からの駆動制御信号ＳＡ、ＳＹ、ＳＸのうち、アドレス信号ＳＡを処理して表示データ信号を発生させ、発生した表示データ信号をアドレス電極Ａ１，Ａ２，・・・，Ａｍ−１，Ａｍに印加する。前記共通駆動部１５４は、論理制御部１５２からの駆動制御信号ＳＡ、ＳＹ、ＳＸのうち、共通駆動制御信号ＳＸを処理して共通電極Ｘ１，Ｘ２，・・・、Ｘｎ−１，Ｘｎに印加する。前記スキャン駆動部１５５は、論理制御部１５２からの駆動制御信号ＳＡ、ＳＹ、ＳＸのうち、スキャン駆動制御信号ＳＹを処理してスキャン電極Ｙ１，Ｙ２，・・・，Ｙｎ−１，Ｙｎに印加する。そして、前記電源供給部１５６は、映像処理部１５１及び論理制御部１５２に必要な動作電圧と、アドレス駆動部１５３、共通駆動部１５４及びスキャン駆動部１５５に必要な動作電圧とを生成して供給する。
【００２７】
このような画像表示用の回路部は、ＰＤＰ１１０から画像が表示されるように、一つの画像フレームをアドレス放電と維持放電とが時間的に完全にそれぞれ分離された８個のサブフィールドに時分割して、２５６段階の階調を表現するＡＤＳ（Address-Display Separation）方式などにより駆動されうる。
【００２８】
本発明の一特徴によれば、前記回路部１５０には、位置感知用の回路部１７０が備えられている。前記位置感知用の回路部１７０は、アドレス駆動部１５３及びスキャン駆動部１５５から電子ペン１８０の位置情報が含まれた信号を供給されて、これに基づいて電子ペン１８０の位置座標信号を処理し、このように処理された位置座標信号を映像処理部１５１に伝達するように、画像表示用の回路部と連係している。
【００２９】
図４を参照して詳述すれば、ＰＤＰ１１０に備えられた共通電極Ｘ１，Ｘ２，・・・、Ｘｎ−１，Ｘｎ及びスキャン電極Ｙ１，Ｙ２，・・・，Ｙｎ−１，Ｙｎは、一方向にそれぞれ平行に延びており、アドレス電極Ａ１，Ａ２，・・・，Ａｍ−１，Ａｍは、共通電極Ｘ１，Ｘ２，・・・、Ｘｎ−１，Ｘｎ及びスキャン電極Ｙ１，Ｙ２，・・・，Ｙｎ−１，Ｙｎが延びた方向と交差する方向にそれぞれ延びることにより、マトリックス状に配列されている。このように配列された共通電極Ｘ１，Ｘ２，・・・，Ｘｎ−１，Ｘｎの一端部は、共通接続状態で共通駆動部１５４に伝えられる信号と、オン／オフスイッチング可能に回路を成しており、スキャン電極Ｙ１，Ｙ２，・・・，Ｙｎ−１，Ｙｎの一端部は、個別的に分離された状態でスキャン駆動部１５５に伝えられる信号とそれぞれオン／オフスイッチング可能に回路を成している。また、アドレス電極Ａ１，Ａ２，・・・，Ａｍ−１，Ａｍの一端部は、個別的に分離された状態でアドレス駆動部１５３に伝えられる信号とそれぞれオン／オフスイッチング可能に回路を成している。このような共通電極Ｘ１，Ｘ２，・・・，Ｘｎ−１，Ｘｎ、スキャン電極Ｙ１，Ｙ２，・・・，Ｙｎ−１，Ｙｎ、及びアドレス電極Ａ１，Ａ２，・・・，Ａｍ−１，Ａｍのうち、放電セル１３５をアドレッシングする機能を行うスキャン電極Ｙ１，Ｙ２，・・・，Ｙｎ−１，Ｙｎ及びアドレス電極Ａ１，Ａ２，・・・，Ａｍ−１，Ａｍは、位置感知用の回路部１７０と関連することにより、電子ペン１８０との電磁気誘導現象を利用して電子ペン１８０の位置情報が検出されうる。
【００３０】
すなわち、前記ＰＤＰ１１０自体に備えられたスキャン電極Ｙ１，Ｙ２，・・・，Ｙｎ−１，Ｙｎ及びアドレス電極Ａ１，Ａ２，・・・，Ａｍ−１，Ａｍは、電子ペン１８０の位置を感知できるアンテナとしての役割を行い、電子ペン１８０は、電磁気誘導現象によりスキャン電極Ｙ１，Ｙ２，・・・，Ｙｎ−１，Ｙｎ及びアドレス電極Ａ１，Ａ２，・・・，Ａｍ−１，Ａｍに誘導電流が発生するように磁束を変化させる役割を行い、位置感知用の回路部１７０は、誘導電流が発生したスキャン電極Ｙ１，Ｙ２，・・・，Ｙｎ−１，Ｙｎ及びアドレス電極Ａ１，Ａ２，・・・，Ａｍ−１，Ａｍからの信号を所定処理することにより、電子ペン１８０の位置座標が獲得されうる。一方、前記電子ペン１８０は、磁束を変化させるように、内部にコイル１８１が内蔵されており、内蔵されたコイル１８１に位置感知用の回路部１７０から交流電圧が印加される構造に形成されうる。
【００３１】
前記のように、位置感知用の回路部１７０と関連し、スキャン電極Ｙ１，Ｙ２，・・・，Ｙｎ−１，Ｙｎとアドレス電極Ａ１，Ａ２，・・・，Ａｍ−１，Ａｍとが互いに交差して、多くの交差点が配列された構成を有するタッチスクリーン型のプラズマディスプレイ装置１００で、ユーザーが、ＰＤＰ１１０の画面上のある位置に磁束が変化する電子ペン１８０を当てたり、画面上にあらかじめ表した文字や絵の情報を磁束が変化する電子ペン１８０で示せば、電磁気誘導現象により電子ペン１８０の位置に相応するように位置したスキャン電極Ｙ１，Ｙ２，・・・，Ｙｎ−１，Ｙｎ及びアドレス電極Ａ１，Ａ２，・・・，Ａｍ−１，Ａｍには誘導電流がそれぞれ発生する。このように、誘導電流がそれぞれ発生したスキャン電極Ｙ１，Ｙ２，・・・，Ｙｎ−１，Ｙｎ及びアドレス電極Ａ１，Ａ２，・・・，Ａｍ−１，Ａｍからの信号は、位置感知用の回路部１７０に伝えられる。一方、前記スキャン電極Ｙ１，Ｙ２，・・・，Ｙｎ−１，Ｙｎ及びアドレス電極Ａ１，Ａ２，・・・，Ａｍ−１，Ａｍからの信号のうち、何れか一つは、電子ペン１８０の横座標についての情報が含まれており、他の一つは、電子ペン１８０の縦座標についての情報が含まれているため、このようなスキャン電極Ｙ１，Ｙ２，・・・，Ｙｎ−１，Ｙｎ及びアドレス電極Ａ１，Ａ２，・・・，Ａｍ−１，Ａｍからの信号を位置感知用の回路部１７０から伝達されてこれを処理すれば、電子ペン１８０の位置座標信号が得られる。このように得られた電子ペン１８０の位置座標信号は、映像処理部１５１に伝えられることにより、保存されたソフトウェアにより、ユーザーの所望の画像がＰＤＰ１１０を介して表示されうる。
【００３２】
本発明は、添付された図面に示す一実施形態を参考に説明されたが、これは、例示的なものに過ぎず、当業者ならば、これから多様な変形及び均等な他の実施形態が可能であるということが理解できるであろう。したがって、本発明の真の保護範囲は、特許請求の範囲のみにより決まらねばならない。
【産業上の利用可能性】
【００３３】
本発明は、プラズマディスプレイ装置に関連した技術分野に好適に適用され得る。
【図面の簡単な説明】
【００３４】
【図１】本発明の一実施形態に係るタッチスクリーン型のプラズマディスプレイ装置を示す分離斜視図である。
【図２】図１に示すＰＤＰを一部抜粋して示す分離斜視図である。
【図３】図１に示す装置の駆動を説明するためのブロック図である。
【図４】図１に示す装置において、電極及び回路部が配置された状態の一例を概略的に示す構成図である。
【符号の説明】
【００３５】
１１０    ＰＤＰ
１２２    前方電極
１３２    後方電極
１５０    回路部
１７０    位置感知用の回路部
１８０    電子ペン
Ｘ１，Ｘ２，・・・，Ｘｎ−１，Ｘｎ    共通電極
Ｙ１，Ｙ２，・・・，Ｙｎ−１，Ｙｎ    スキャン電極
Ａ１，Ａ２，・・・，Ａｍ−１，Ａｍ    アドレス電極
【図１】
2006260531.tif 000003
【図２】
2006260531.tif 000004
【図３】
2006260531.tif 000005
【図４】
2006260531.tif 000006